(57)【要約】【課題】ユーザの足部の内外側を十分に鍛錬することができ、筋肉および筋を伸ばせることができる足部伸ばせ健康機を提供する。【解決手段】二つのベースプレートが枢着構造を介して接続台の両側に枢着され、ベースプレートにある案内溝に二つのペダルのローラを摺動可能に組付け、ベースプレートに剖開溝が設けられ、剖開溝の下面にある規制具がロック具を介してペダルに結合され、ベースプレートの下面の剖開溝の両端に二つの滑り車が設けられ、二つの滑り車の近傍と規制具とに四つの定位構造が設けられ、弾性付きロープは二つの結合端を有し、第１結合端が規制具に固定され、第２結合端は、内外側にある滑り車を経由して、外側の滑り車の近傍にある定位構造に固定される場合には、ユーザの足部の伸ばせ運動をすることができる。【選択図】図１
0003159871.tif 000002
【実用新案登録請求の範囲】
【請求項１】
第１ベースプレートと、第２ベースプレートと、接続台と、を含む足部伸ばせ健康機において、
前記第１ベースプレートは、第１案内溝と、第２案内溝と、第１剖開溝と、第１弾性付きロープと、を含み、前記第１案内溝と前記第２案内溝が前記第１ベースプレートの上面に横方向に沿うように設けられ、前記第１ベースプレートには、前記第１案内溝と前記第２案内溝をスライド可能なローラが複数設けられ、前記複数のローラが第１ペダルの下面に固定され、
前記第１剖開溝は、前記第１ベースプレートの中央の付近に設けられ、その下面に第１規制具が設けられ、前記第１規制具はロック具を介して前記第１ベースプレートの上面に位置する前記第１ペダルに結合され、前記第１ベースプレートの下面にある前記第１剖開溝の両端の近傍に第１滑り車と第２滑り車が枢着され、
前記第１滑り車と前記第２滑り車の近傍と、前記第１規制具とには、第１定位構造と、第２定位構造と、第３定位構造と、第４定位構造と、が設けられ、
前記第１弾性付きロープは、第１結合端と、第２結合端と、を有し、前記第１結合端が前記第１規制具の前記第３定位構造に固定され、前記第２結合端は、内側にある前記第１滑り車を経由して、外側にある前記第２滑り車を経由した後、前記第２滑り車の近傍にある前記第２定位構造に固定され、これにより、ユーザの足部の伸ばせ運動をすることができ、
前記第１弾性付きロープの前記第１結合端が前記第１滑り車の近傍にある前記第１定位構造に固定され、前記第２結合端は、内側にある前記第１滑り車を経由して、外側にある前記第２滑り車を経由した後、前記第１規制具の前記第４定位構造に固定され、これにより、ユーザの足部のきつく挟み運動をすることができ、
前記第２ベースプレートは、第３案内溝と、第４案内溝と、第２剖開溝と、第２弾性付きロープと、を含み、前記第３案内溝と前記第４案内溝が前記第２ベースプレートの上面に横方向に沿うように設けられ、前記第２ベースプレートには、前記第３案内溝と前記第４案内溝をスライド可能なローラが複数設けられ、前記複数のローラが第２ペダルの下面に固定され、
前記第２剖開溝は、前記第２ベースプレートの中央の付近に設けられ、その下面に第２規制具が設けられ、前記第２規制具はロック具を介して前記第２ベースプレートの上面に位置する前記第２ペダルに結合され、前記第２ベースプレートの下面にある前記第２剖開溝の両端の近傍に第３滑り車と第４滑り車が枢着され、
前記第３滑り車と前記第４滑り車の近傍と、前記第２規制具とには、第５定位構造と、第６定位構造と、第７定位構造と、第８定位構造と、が設けられ、前記第２弾性付きロープは、第３結合端と、第４結合端と、を有し、前記第３結合端が前記第２規制具の前記第７定位構造に固定され、前記第４結合端は、内側にある前記第３滑り車を経由して、外側にある前記第４滑り車を経由した後、前記第４滑り車の近傍にある前記第６定位構造に固定され、これにより、ユーザの足部の伸ばせ運動をすることができ、前記第２弾性付きロープの前記第３結合端が前記第３滑り車の近傍にある前記第５定位構造に固定され、前記第４結合端は、内側にある前記第３滑り車を経由して、外側にある前記第４滑り車を経由した後、前記第２規制具の前記第８定位構造に固定され、これにより、ユーザの足部のきつく挟み運動をすることができ、
前記接続台は、前記第１ベースプレートと前記第２ベースプレートが枢着構造を介して前記接続台に枢着され、前記枢着構造により、前記第１ベースプレートと前記第２ベースプレートを、下へ折畳み、又は上へ展開することができることを特徴とする、足部伸ばせ健康機。
【請求項２】
前記枢着構造には、前記第１ベースプレートと前記第２ベースプレートの前記接続台に向く枢着台が複数設けられ、前記接続台には、前記枢着台に対応する枢着溝が複数設けられ、前記枢着溝に前記枢着台を組付けた後、前記枢着溝にある貫通孔と、前記枢着台にある貫通孔とに、ピンをそれぞれ貫入すると、前記枢着台が前記枢着溝に枢着されることを特徴とする、請求項１に記載の足部伸ばせ健康機。
【請求項３】
前記接続台にハンドルが設けられ、前記第１ベースプレートと前記第２ベースプレートを折畳んだ後、前記ハンドルにより、ユーザは当該健康機を別の箇所に持ち込み、又は収納することができることを特徴とする、請求項１に記載の足部伸ばせ健康機。
【考案の詳細な説明】
【技術分野】
【０００１】
本考案は、足部伸ばせ健康機に関し、特に、ユーザの足部の内外側を十分に鍛錬することができ、筋肉および筋を伸ばせることができる足部伸ばせ健康機に関するものである。
【背景技術】
【０００２】
図８に示したのは、本願の出願者から提案された「足部伸ばせ健康機」であり、本願はこの「足部伸ばせ健康機」の系列な発明である。図８に示した従来の足部伸ばせ健康機は、接続台１の両側には、第１ベースプレート２と、第２ベースプレート３と、がそれぞれ枢着され、第１ベースプレート２の上面に第１ペダル４が摺動可能に設けられ、第２ベースプレート３の上面に第２ペダル５が摺動可能に設けられ、第１ペダル４と第２ペダル５には、引張力が設定された弾性付きロープ６がそれぞれ設けられ、これにより、足部を伸ばせるときに抵抗力が発生し、鍛錬効果を向上することができる。
【考案の概要】
【考案が解決しようとする課題】
【０００３】
本考案の主な目的は、ユーザの足部の内外側を十分に鍛錬することができ、筋肉および筋を伸ばせることができる足部伸ばせ健康機を提供することにある。
【課題を解決するための手段】
【０００４】
本考案の足部伸ばせ健康機によると、第１ベースプレートと、第２ベースプレートと、接続台と、を含む足部伸ばせ健康機において、
前記第１ベースプレートは、第１案内溝と、第２案内溝と、第１剖開溝と、第１弾性付きロープと、を含み、前記第１案内溝と前記第２案内溝が前記第１ベースプレートの上面に横方向に沿うように設けられ、前記第１ベースプレートには、前記第１案内溝と前記第２案内溝をスライド可能なローラが複数設けられ、前記複数のローラが第１ペダルの下面に固定され、前記第１剖開溝は、前記第１ベースプレートの中央の付近に設けられ、その下面に第１規制具が設けられ、前記第１規制具はロック具を介して前記第１ベースプレートの上面に位置する前記第１ペダルに結合され、前記第１ベースプレートの下面にある前記第１剖開溝の両端の近傍に第１滑り車と第２滑り車が枢着され、前記第１滑り車と前記第２滑り車の近傍と、前記第１規制具とには、第１定位構造と、第２定位構造と、第３定位構造と、第４定位構造と、が設けられ、前記第１弾性付きロープは、第１結合端と、第２結合端と、を有し、前記第１結合端が前記第１規制具の前記第３定位構造に固定され、前記第２結合端は、内側にある前記第１滑り車を経由して、外側にある前記第２滑り車を経由した後、前記第２滑り車の近傍にある前記第２定位構造に固定され、これにより、ユーザの足部の伸ばせ運動をすることができ、なお、前記第１弾性付きロープの前記第１結合端が前記第１滑り車の近傍にある前記第１定位構造に固定され、前記第２結合端は、内側にある前記第１滑り車を経由して、外側にある前記第２滑り車を経由した後、前記第１規制具の前記第４定位構造に固定され、これにより、ユーザの足部のきつく挟み運動をすることができ、
前記第２ベースプレートは、第３案内溝と、第４案内溝と、第２剖開溝と、第２弾性付きロープと、を含み、前記第３案内溝と前記第４案内溝が前記第２ベースプレートの上面に横方向に沿うように設けられ、前記第２ベースプレートには、前記第３案内溝と前記第４案内溝をスライド可能なローラが複数設けられ、前記複数のローラが第２ペダルの下面に固定され、前記第２剖開溝は、前記第２ベースプレートの中央の付近に設けられ、その下面に第２規制具が設けられ、前記第２規制具はロック具を介して前記第２ベースプレートの上面に位置する前記第２ペダルに結合され、前記第２ベースプレートの下面にある前記第２剖開溝の両端の近傍に第３滑り車と第４滑り車が枢着され、前記第３滑り車と前記第４滑り車の近傍と、前記第２規制具とには、第５定位構造と、第６定位構造と、第７定位構造と、第８定位構造と、が設けられ、前記第２弾性付きロープは、第３結合端と、第４結合端と、を有し、前記第３結合端が前記第２規制具の前記第７定位構造に固定され、前記第４結合端は、内側にある前記第３滑り車を経由して、外側にある前記第４滑り車を経由した後、前記第４滑り車の近傍にある前記第６定位構造に固定され、これにより、ユーザの足部の伸ばせ運動をすることができ、なお、前記第２弾性付きロープの前記第３結合端が前記第３滑り車の近傍にある前記第５定位構造に固定され、前記第４結合端は、内側にある前記第３滑り車を経由して、外側にある前記第４滑り車を経由した後、前記第２規制具の前記第８定位構造に固定され、これにより、ユーザの足部のきつく挟み運動をすることができ、
前記接続台は、前記第１ベースプレートと前記第２ベースプレートが枢着構造を介して前記接続台に枢着され、前記枢着構造により、前記第１ベースプレートと前記第２ベースプレートを、下へ折畳み、又は上へ展開することができることを特徴とする。
【０００５】
本考案の足部伸ばせ健康機によると、前記枢着構造には、前記第１ベースプレートと前記第２ベースプレートの前記接続台に向く枢着台が複数設けられ、前記接続台には、前記枢着台に対応する枢着溝が複数設けられ、前記枢着溝に前記枢着台を組付けた後、前記枢着溝にある貫通孔と、前記枢着台にある貫通孔とに、ピンをそれぞれ貫入すると、前記枢着台が前記枢着溝に枢着されることを特徴とする。
【０００６】
本考案の足部伸ばせ健康機によると、前記接続台にハンドルが設けられ、前記第１ベースプレートと前記第２ベースプレートを折畳んだ後、前記ハンドルにより、ユーザは当該健康機を別の箇所に持ち込み、又は収納することができることを特徴とする。
【考案の効果】
【０００７】
本考案の足部伸ばせ健康機によれば、次のような効果がある。
（１）弾性付きロープを相違する定位構造に固定することにより、ユーザは、足部の伸ばせ運動、又はきつく挟み運動をすることができる。本考案の使用方法は、ペダルに両足をそれぞれ踏んで、両足を水平方向に沿って伸ばせ、又はきつく挟み、弾性付きロープによる抵抗力により、ユーザの足部の内外側を十分に鍛錬することができ、筋肉および筋を伸ばせることができる。
【０００８】
（２）第１ベースプレートと第２ベースプレートが枢着構造を介して接続台に枢着され、且つ枢着台にハンドルが設けられるため、第１ベースプレートが第２ベースプレートに垂直するように、第１ベースプレートと第２ベースプレートを下へ折畳むことができ、これにより、収納スペースを減少することができる。
【図面の簡単な説明】
【０００９】
【図１】本考案の実施例１の分解斜視図である。
【図２】本考案の実施例１が折畳まれた状態を示す模式図である。
【図３】本考案の実施例１が展開された状態を示す模式図である。
【図４】本考案の実施例１の下面図である。
【図５】本考案の実施例１の使用状態を示す模式図である。
【図６】本考案の実施例２の下面図である。
【図７】本考案の実施例２の使用状態を示す模式図である。
【図８】本願の出願人から提案された足部伸ばせ健康機の分解斜視図である。
【考案を実施するための形態】
【００１０】
以下、本考案の実施の形態を図面に基づいて説明する。
【実施例１】
【００１１】
まず、図１乃至図４を参照する。本考案の足部伸ばせ健康機は、第１ベースプレート１０と、第２ベースプレート５０と、接続台９０と、を含む。
前記第１ベースプレート１０は、第１案内溝１１と、第２案内溝１２と、第１剖開溝１３と、第１弾性付きロープ４０と、を含む。前記第１ベースプレート１０の上面と、前記第１案内溝１１と、前記第２案内溝１２とは、中央が両側よりも低い円弧形状にされ、前記第１ベースプレート１０には、前記第１案内溝１１と前記第２案内溝１２をスライド可能なローラ２１が複数設けられ、前記複数のローラ２１が第１ペダル２０の下面に固定される。前記第１剖開溝１３は、前記第１ベースプレート１０の中央の付近に設けられ、その下面に第１規制具３０が設けられ、前記第１規制具３０はロック具３１を介して前記第１ベースプレート１０の上面に位置する前記第１ペダル２０に結合され、前記第１ベースプレート１０の下面にある前記第１剖開溝１３の両端の近傍に第１滑り車３２と第２滑り車３３が枢着され、前記第１滑り車３２と前記第２滑り車３３の近傍と、前記第１規制具３０とには、第１定位構造３２１と、第２定位構造３３１と、第３定位構造３０１と、第４定位構造３０２と、が設けられる。前記第１弾性付きロープ４０は、第１結合端４１と、第２結合端４２と、を有し、前記第１結合端４１が前記第１規制具３０の前記第３定位構造３０１に固定され、前記第２結合端４２は、内側にある前記第１滑り車３２を経由して、外側にある前記第２滑り車３３を経由した後、前記第２滑り車３３の近傍にある前記第２定位構造３３１に固定され、これにより、ユーザの足部の伸ばせ運動をすることができる。なお、前記第１弾性付きロープ４０の前記第１結合端４１が前記第１滑り車３２の近傍にある前記第１定位構造３２１に固定され、前記第２結合端４２は、内側にある前記第１滑り車３２を経由して、外側にある前記第２滑り車３３を経由した後、前記第１規制具３０の前記第４定位構造３０２に固定され、これにより、ユーザの足部のきつく挟み運動をすることができる。
【００１２】
前記第２ベースプレート５０は、第３案内溝５１と、第４案内溝５２と、第２剖開溝５３と、第２弾性付きロープ８０と、を含む。前記第２ベースプレート５０の上面と、前記第３案内溝５１と、前記第４案内溝５２とは、中央が両側よりも低い円弧形状にされ、前記第２ベースプレート５０には、前記第３案内溝５１と前記第４案内溝５２をスライド可能なローラ６１が複数設けられ、前記複数のローラ６１が第２ペダル６０の下面に固定される。前記第２剖開溝５３は、前記第２ベースプレート５０の中央の付近に設けられ、その下面に第２規制具７０が設けられ、前記第２規制具７０はロック具７１を介して前記第２ベースプレート５０の上面に位置する前記第２ペダル６０に結合され、前記第２ベースプレート５０の下面にある前記第２剖開溝５３の両端の近傍に第３滑り車７２と第４滑り車７３が枢着され、前記第３滑り車７２と前記第４滑り車７３の近傍と、前記第２規制具７０とには、第５定位構造７２１と、第６定位構造７３１と、第７定位構造７０１と、第８定位構造７０２と、が設けられる。前記第２弾性付きロープ８０は、第３結合端８１と、第４結合端８２と、を有し、前記第３結合端８１が前記第２規制具７０の前記第７定位構造７０１に固定され、前記第４結合端８２は、内側にある前記第３滑り車７２を経由して、外側にある前記第４滑り車７３を経由した後、前記第４滑り車７３の近傍にある前記第６定位構造７３１に固定され、これにより、ユーザの足部の伸ばせ運動をすることができる。なお、前記第２弾性付きロープ８０の前記第３結合端８１が前記第３滑り車７２の近傍にある前記第５定位構造７２１に固定され、前記第４結合端８２は、内側にある前記第３滑り車７２を経由して、外側にある前記第４滑り車７３を経由した後、前記第２規制具７０の前記第８定位構造７０２に固定され、これにより、ユーザの足部のきつく挟み運動をすることができる。
【００１３】
前記接続台９０は、前記第１ベースプレート１０と前記第２ベースプレート５０の前記接続台に向き枢着構造９１である枢着台１４、５４が設けられ、前記接続台９０には、前記枢着台１４、５４に対応し枢着構造９１である枢着溝９１１が設けられ、前記枢着溝９１１に前記枢着台１４、５４を組付けた後、前記枢着溝９１１にある貫通孔９１１１と、前記枢着台１４、５４にある貫通孔１４１、５４１とに、枢着構造９１であるピン９２をそれぞれ貫入すると、前記第１ベースプレート１０と前記第２ベースプレート５０を、下へ折畳み、又は上へ展開することができる。前記接続台９０にハンドル９２が設けられ、前記第１ベースプレート１０と前記第２ベースプレート５０を折畳んだ後、前記ハンドル９２により、ユーザは本考案の健康機を別の箇所に持ち込み、又は収納することができる。
【００１４】
前記接続台９０に電子計数器９３を設けてもよい。
図４及び図５を参照する。前記第１弾性付きロープ４０は、第１結合端４１と、第２結合端４２と、を有し、前記第１結合端４１が前記第１規制具３０の前記第３定位構造３０１に固定され、前記第２結合端４２は、内側にある前記第１滑り車３２を経由して、外側にある前記第２滑り車３３を経由した後、前記第２滑り車３３の近傍にある前記第２定位構造３３１に固定され、なお、前記第２弾性付きロープ８０は、第３結合端８１と、第４結合端８２と、を有し、前記第３結合端８１が前記第２規制具７０の前記第７定位構造７０１に固定され、前記第４結合端８２は、内側にある前記第３滑り車７２を経由して、外側にある前記第４滑り車７３を経由した後、前記第４滑り車７３の近傍にある前記第６定位構造７３１に固定され、これにより、ユーザの足部の伸ばせ運動をすることができる。
【００１５】
このとき、本考案の健康機に立っているユーザは、両足を外側に伸ばせるときに抵抗力が発生し、両足をきつく挟むときに抵抗力が極めて小さいため、足部を重複に伸ばせると、ユーザの足部の内外側を十分に鍛錬することができ、筋肉および筋を伸ばせることができる。
【実施例２】
【００１６】
図６及び図７を参照する。前記第１弾性付きロープ４０の前記第１結合端４１が前記第１ベースプレート１０の内側の前記第１滑り車３２の近傍にある前記第１定位構造３２１に固定され、前記第２結合端４２は、内側にある前記第１滑り車３２を経由して、外側にある前記第２滑り車３３を経由した後、前記第１規制具３０の前記第４定位構造３０２に固定され、なお、前記第２弾性付きロープの前記第３結合端８１が前記第２ベースプレート５０の内側の前記第３滑り車７２の近傍にある前記第５定位構造７２１に固定され、前記第４結合端８２は、内側にある前記第３滑り車７２を経由して、外側にある前記第４滑り車７３を経由した後、前記第２規制具７０の前記第８定位構造７０２に固定され、これにより、ユーザの足部のきつく挟み運動をすることができる。
【符号の説明】
【００１７】
１：接続台、２：第１ベースプレート、３：第２ベースプレート、４：第１ペダル、５：第２ペダル、６：弾性付きロープ、１０：第１ベースプレート、１１：第１案内溝、１２：第２案内溝、１３：第１剖開溝、１４：枢着台、２０：第１ペダル、２１：ローラ、３０：第１規制具、３１：ロック具、３２：第１滑り車、３３：第２滑り車、４０：第１弾性付きロープ、４１：第１結合端、４２：第２結合端、５０：第２ベースプレート、５１：第３案内溝、５２：第４案内溝、５３：第２剖開溝、５４：枢着台、６０：第２ペダル、６１：ローラ、７０：第２規制具、７１：ロック具、７２：第３滑り車、７３：第４滑り車、８０：第２弾性付きロープ、８１：第３結合端、８２：第４結合端、９０：接続台、９１：枢着構造、９２：ハンドル、９３：電子計数器、１４１：貫通孔、３０１：第３定位構造、３０２：第４定位構造、３２１：第１定位構造、３３１：第２定位構造、５４１：貫通孔、７０１：第７定位構造、７０２：第８定位構造、７２１：第５定位構造、７３１：第６定位構造、９１１：枢着溝、９１２：ピン、９１１１：貫通孔。
【産業上の利用可能性】
【００１８】
本考案は、健康機に適用することができる。
【図１】
0003159871.tif 000003
【図２】
0003159871.tif 000004
【図３】
0003159871.tif 000005
【図４】
0003159871.tif 000006
【図５】
0003159871.tif 000007
【図６】
0003159871.tif 000008
【図７】
0003159871.tif 000009
【図８】
0003159871.tif 000010